(57)【要約】【課題】電子ペーパーによる表示素子への接続材の染み込みを効果的に防止することができる防護構造を有する表示装置及び表示装置の製造方法を提供することを目的とする。【解決手段】電子ペーパーによる表示素子（１２０）と、表示素子を保持する基板（１３０）と、表示素子を駆動するための電極（１２３）と基板とを電気的に接続するための接続材（１５３）と、表示素子から接続材を遮蔽するための遮蔽部材（１５２）を有することを特徴とする表示装置(１００)及びその様な表示装置の製造方法。【選択図】図４
2010061039.tif 000002
【特許請求の範囲】
【請求項１】
電子ペーパーによる表示素子と、
前記表示素子を保持する基板と、
前記表示素子を駆動するための電極と前記基板とを電気的に接続するための接続材と、
前記表示素子から前記接続材を遮蔽するための遮蔽部材と、
を有することを特徴とする表示装置。
【請求項２】
前記遮蔽部材は、導電性材料から構成される、請求項１に記載の表示装置。
【請求項３】
電子ペーパーによる表示素子、前記表示素子を保持する基板、前記表示素子の上面を覆う防湿シート、及び前記防湿シートの上面を覆う保護フィルムのそれぞれを重ね合わせた後に、前記表示素子、前記基板、前記防湿シート及び前記保護フィルムの端部側面周囲と、前記保護フィルムの上面の周囲とをシール材で覆う工程と、
前記保護フィルムを取り外す工程と、
を有することを特徴とする表示装置の製造方法。
【請求項４】
前記表示素子を駆動するための電極と前記基板とを電気的に接続するための接続材とを設ける工程と、
前記保護フィルムを取り外す工程の前に、前記接続材で前記保護フィルムの端部側面及び前記保護フィルムの上面の少なくとも一部を覆う工程を更に有する、請求項３に記載の表示装置の製造方法。
【発明の詳細な説明】
【技術分野】
【０００１】
本発明は表示装置に関し、特に電子ペーパーを用いた表示装置及び表示装置の製造方法に関する。
【背景技術】
【０００２】
電気光学媒体層の導電層と、バックプレーンとを導電性接着層によって電気的に接続する電気光学表示装置が知られている（例えば、特許文献１参照）。
【０００３】
図１は、従来の電気光学表示装置１の断面図である。
【０００４】
図１に示す電気光学表示装置１では、導電層５とピクセル電極８との間に配置された電気光学媒体層６が、基板４とバックプレーン９との間に挟持されている。また、電気光学媒体層６は接着層７によってピクセル電極８と接続されている。基板４の図中上部には補助接着層３及び補助剥離シート２が配置されている。ここで、導電層５と接続されたコンタクトパット１０とピクセル電極８と接続されたコンタクトパット１１とが、導電性接着剤から構成される導体１２によって電気的に接続されるように構成されている。
【０００５】
しかしながら、導体１２に粘性の低い導電性接着剤を利用すると、導体１２が接着層７とピクセル電極８の間に染み込み、ピクセル電極８に接触して表示不良の原因となるという不具合があった。
【０００６】
【特許文献１】特開２００５−５２９３６１号公報（図１９）
【発明の開示】
【発明が解決しようとする課題】
【０００７】
そこで、本発明は、上記の問題点を解決することを目的とした表示装置及び表示装置の製造方法を提供することを目的とする。
【０００８】
また、本発明は、電子ペーパーによる表示素子への接続材の染み込みを効果的に防止することができる防護構造を有する表示装置及び表示装置の製造方法を提供することを目的とする。
【課題を解決するための手段】
【０００９】
上記課題を解決するために、本発明に係る表示装置は、電子ペーパーによる表示素子と、表示素子を保持する基板と、表示素子を駆動するための電極と基板とを電気的に接続するための接続材と、表示素子から接続材を遮蔽するための遮蔽部材を有することを特徴とする。
【００１０】
また、本発明に係る表示装置では、遮蔽部材は導電性材料から構成されることが好ましい。
【００１１】
上記課題を解決するために、本発明に係る表示装置の製造方法は、電子ペーパーによる表示素子、表示素子を保持する基板、表示素子の上面を覆う防湿シート及び防湿シートの上面を覆う保護フィルムとのそれぞれを重ね合わせた後に、表示素子、基板、防湿シート及び保護フィルムの端部側面周囲と、保護フィルムの上面の周囲とをシール材で覆う工程と、保護フィルムを取り外す工程を有することを特徴とする。
【００１２】
また、本発明に係る表示装置の製造方法では、表示素子を駆動するための電極と基板とを電気的に接続するための接続材とを設ける工程と、保護フィルムを取り外す工程の前に、接続材で保護フィルムの端部側面及び保護フィルムの上面の少なくとも一部を覆う工程を有することが好ましい。
【発明の効果】
【００１３】
本発明によれば、遮蔽部材によって、表示素子を駆動するための電極と表示素子を保持するための基板とを電気的に接続するための接続材と、表示素子とが遮断されるため、接続材の成分が表示素子に染み込んで発生する表示不良を防止することが可能となった。
【００１４】
また、遮蔽部材が導電性の場合には、表示素子を駆動するための電極と表示素子を保持するための基板間の接続をさらに、低抵抗化することが可能となった。
【発明を実施するための最良の形態】
【００１５】
以下図面を参照して、本発明に係る表示装置について説明する。但し、本発明の技術的範囲はそれらの実施の形態に限定されず、特許請求の範囲に記載された発明とその均等物に及ぶ点に留意されたい。
【００１６】
図２は、本発明に係る表示装置１００の概略構成を示す図である。図２（ａ）は表示装置１００の上面図であり、図２（ｂ）は図２（ａ）のＡＡ´断面図である。
【００１７】
表示装置１００は、防湿フィルム１２１、金属、カーボンペースト、銀ペースト等で構成されるセグメント電極１２６等を配置したガラス・エポキシ基板１３０上に、表示素子としての電子インクシート１２０を実装し、電子インクシート１２０へ湿度の侵入防止のために、電子インクシート１２０の周囲をシール材１４０で被覆した構成を有している。
【００１８】
電子インクシート１２０は、透明基板１２２、ＩＴＯで構成される共通電極１２３、電気泳動層１２４及びセグメント電極１２６と接着するための接着層１２５等から構成される。
【００１９】
電子インクシート１２０の上に配置された防湿フィルム１２１は、湿度遮断性能に優れた、クロロトリフロロエチレン（ＣＴＦＥ）ポリマーから構成される透明フィルム（アクラー（登録商標）フィルム）を利用した。しかしながら、透明性が高く、湿度遮断特性に優れたフィルムであれば、他の素材、例えばＳｉＯ２等の酸化物の蒸着膜をＰＥＴ（ポリエチレンテレフタレート）でサンドイッチ状に挟み込んだフィルム等を利用することも可能である。
【００２０】
電気泳動層１２４は、負に帯電した黒色の顔料粒子と正に帯電した白色の顔料粒子を含む電気泳動分散液が封入された多数のマイクロカプセル１２６（図４参照）から構成されている。電子インクシート１２０は、ガラス・エポキシ基板１３０を介して所定の表示用の制御電圧をセグメント電極１２５及び共通電極１２３間に印加することによって、共通電極１２３側（視認側）に白色又は黒色の粒子を移動させて、所望の図形、文字等を含む画像を表示させることが可能である。なお、電子インクシート１２０では、マイクロカプセル中の粒子を移動させて、一旦画像を表示させた後は、画像の保持には、常に電圧を印加する必要が無いため、消費電力を低く抑えることが可能である。
【００２１】
図２（ａ）で点線１５０として示す箇所において、ガラス・エポキシ基板１３０から、共通電極１２３への接続を行っている。詳細は後述する。また、電子インクシート１２０への画像表示のための制御電圧信号を印加するための回路素子は、ガラス・エポキシ基板１３０の背面側（電子インクシート１２０が実装されていない側）に配置されている（不図示）。
【００２２】
図２に示す表示装置１００は、例えば、大型の表示機器（４００×２００ｍｍ）用であるので、電子インクシート１２０を実装する基板として、ガラス・エポキシ基板１３０を用いたが、小型用や、表示装置１００を変形させて利用したい場合等には、基板として、ＦＰＣ（Flexible printed circuit）を利用することができる。
【００２３】
シール材１４０は、防湿効果を有するシリカ含有エポキシ樹脂又はＵＶ硬化型アクリル樹脂により構成され、幅ｗ１及びｗ２（例えば、ｗ１＝ｗ２＝０．５ｍｍ）の段差部に塗布され、図２（ｂ）に示す様に、電子インクシート１２０の側面を保護している。また、電子インクシート１２０の視認側には防湿効果のある防湿フィルム１２１が配置されている。したがって、電子インクシート１２０は、防湿フィルム１２１及びシール材１４０によって露出部が保護されており、電子インクシート１２０の動作に影響を与える湿度の影響を最小限に抑制することが可能となった。
【００２４】
図３は、表示装置１００の製造方法の手順の概略を示す図である。
【００２５】
最初に、ガラス・エポキシ基板１３０上に、電子インクシート１２０の接着層１２５がセグメント電極１２６と接着するように電子インクシート１２０を実装し、電子インクシート１２０上に、ＰＥＴフィルムにより構成された保護フィルム１６０を貼り付けた防湿フィルム１２１を貼り付ける（図３（ａ）参照）。
【００２６】
次に、レーザ（矢印１７０参照）によって、電子インクシート１２０をガラス・エポキシ基板１３０の内側ｗ１及びｗ２（例えば、ｗ１＝ｗ２＝０．５ｍｍ）の位置でカットを行う（レーザーカット）（図３（ｂ）参照）。
【００２７】
次に、ディスペンサーによってシール材１４０を保護フィルム１６０の上面の一部と重なるように塗布し、乾燥させて硬化させる（図３（ｃ）参照）。レーザーカットによって生じた電子インクシート１２０とセグメント電極１２６による段差部が、ディスペンサーのニードルのガイドになるので、簡単にシール材１４０を塗布することができる。
【００２８】
最後に、保護フィルム１６０を剥離して、表示装置１００が完成する（図３（ｄ）参照）。シール材１４０の硬化後に、保護フィルム１６０を剥離すると、電子インクシート１２０上にはみ出したシール材も含めて取り除くことができて効果的である。
【００２９】
図４は、図２（ａ）におけるＢＢ´断面図である。
【００３０】
この部分（図２（ａ）の点線１５０参照）では、電子インクシート１２０の内側までガラス・エポキシ基板１３０を後退させ、ガラス・エポキシ基板１３０の裏側に配置した電気接続パターン１５１と電子インクシート１２０の共通電極１２３とを導電性接着材１５３によって電気的に接続した。
【００３１】
また、導電性接着材１５３が電子インクシート１２０の電気泳動層１２４と直接接触すると、矢印１５４の方向への導電性接着材１５３の成分の染み込みが発生し、表示不良を引き起こす場合がある。そこで、電子インクシート１２０の電気泳動層１２４と導電性接着材１５３との間に、Ｌ字状の導電性ゴムから構成される遮蔽部材１５２を配置した。これによって、導電性接着材１５３の成分が、電気泳動層１２４へ染み込むことを防止することが可能となった。なお、遮蔽部材１５２は、導電性であった方が、電気接続パターン１５１及び共通電極１２３との間に全体の抵抗率を下げることとなり好ましいが、必ずしも導電性である必要は無い。また、遮蔽部材１５２が導電性の場合には、図４に示す様に、セグメント電極１２６と遮蔽部材１５２とが接触しない様に配置する必要がある。ここで、遮蔽部材１５２はＬ字状として、ガラス・エポキシ基板１３０の端面も覆うように配置したが、電気泳動層１２４、接着層１２５およびセグメント電極１２６の端部を導電接着剤１５３から遮蔽できればよく、少なくとも電気泳動層１２４と接着層１２５とセグメント電極１２６の端部に配置されていればよい。
【００３２】
図５は、図４の状態が形成される前の製造段階を示す図である。
【００３３】
図５に示す様に、図４の構成となる前の製造段階では、防護シート１２１の上部には、保護シート１６０が配置されており、導電性接着剤１５３は、保護フィルム１６０の端部側面周囲及びその上面の少なくとも１部を覆うように塗布される。その後、防護フィルム１６０が剥離される工程（図３の（ｄ）参照）によって、図４の状態となる。
【００３４】
図６は、図２（ａ）におけるＢＢ´断面図の他の形態を示すものである。
【００３５】
図６は、ガラス・エポキシ基板１３０の代わりに、ＦＰＣ１８０を用いた場合のＦＰＣ１８０と電子インクシート１２０の共通電極１２３との接続部分を示している。図６の場合でも、電子インクシート１２０の内側までＦＰＣ１８０を後退させ、ＦＰＣ１８０の裏側に配置した電気接続パターン１８１と電子インクシート１２０の共通電極１２３とを導電性接着材１８３によって電気的に接続した。
【００３６】
また、導電性接着材１８３が電子インクシート１２０の電気泳動層１２４と直接接触すると、矢印１８４の方向への導電性接着材１８３の成分の染み込みが発生し、表示不良を引き起こす場合がある。そこで、電子インクシート１２０の電気泳動層１２４と導電性接着材１８３との間に、導電性テープから構成される遮蔽部材１８２を共通電極１２３から電気接続パターン１８１にかけて貼り付けるように構成した。これによって、導電性接着材１８３の成分が、電気泳動層１２４へ染み込むことを防止することが可能となった。なお、遮蔽部材１８２は、導電性であった方が、電気接続パターン１８１及び共通電極１２３との間に全体の抵抗率を下げることとなり好ましいが、必ずしも導電性である必要は無い。また、図４の場合と同様に遮蔽部材１８２が導電性の場合には、図６に示す様にセグメント電極１２５と遮蔽部材１８２とが接触しない様に配置する必要がある。
【００３７】
上記の説明においては、電子ペーパーとしての表示素子として電子インクシート１２０を用いた。電子インクシートとして、電気泳動表示シート、電気粉粒体表示シート等を利用することが可能である。
【産業上の利用可能性】
【００３８】
電子インクシート１２０を表示素子とした表示装置１００は、携帯電話、携帯型パーソナルコンピュータ、ＰＤＡ（Personal Digital Assistants）、電子手帳等の携帯機器の表示部分として利用することができる。
【図面の簡単な説明】
【００３９】
【図１】従来の電気泳動表示装置１の断面図である。
【図２】本発明に係る表示装置１００の概略構成を示す図である。
【図３】表示装置１００の製造方法の手順の概略を示す図である。
【図４】図２（ａ）におけるＢＢ´断面図である。
【図５】図４の状態の前段階を示す図である。
【図６】図２（ａ）におけるＢＢ´断面図の他の形態を示すものである。
【符号の説明】
【００４０】
１００    表示装置
１２０    電子インクシート
１２１    防湿フィルム
１３０    ガラス・エポキシ基板
１４０    シール材
１５２、１８２    遮蔽部材
１５３、１８３    導電性接着材
１６０    保護フィルム
【図１】
2010061039.tif 000003
【図２】
2010061039.tif 000004
【図３】
2010061039.tif 000005
【図４】
2010061039.tif 000006
【図５】
2010061039.tif 000007
【図６】
2010061039.tif 000008